(57)【要約】【課題】車両の運転者などは昼間や夜間の車両照明時等において違和感を覚えることなく通常の表示装置として標識を認識し、照明のない夜間や停電時などの暗所においても容易に標識を視認できる、表示装置を提供する。【解決手段】光源から放射された入射光を蓄積する蓄光部２と、標識を表示する標識部３と、入射光を反射し反射光として蓄光部２へ入射させる反射部４と、からなり、入射光と反射光とを同時に蓄光部２に入射し蓄光として蓄光部２に蓄積し、入射光が停止されると蓄光部２に蓄積された蓄光を放射して標識部３の標識を表示することを特徴とする表示装置１で構成されるものである。【選択図】  図１
2010117568.tif 000002
【特許請求の範囲】
【請求項１】
太陽、自動車の照明ランプ等の光源から放射された入射光を蓄積する蓄光部と、記号や文字等の標識を表示する標識部と、前記入射光を反射し反射光として蓄光部へ入射させる反射部と、からなり、
前記入射光と前記反射光とを同時に前記蓄光部に入射し蓄光として前記蓄光部に蓄積し、前記入射光が停止されると前記蓄光部に蓄積された前記蓄光を放射して前記標識部の前記記号や文字等の標識を表示することを特徴とする表示装置。
【発明の詳細な説明】
【技術分野】
【０００１】
この発明は、道路の規制標識、表示標識、警戒標識、指示標識などの道路標識、災害時の誘導標識や津波標識などの注意喚起標識、河川の水位標識、工事標識などに使用される表示装置に関するものである。
【背景技術】
【０００２】
従来は、特許文献１に示されるような、背景用反射シート上に道路標識等を表示するための表示用反射シートを貼付しこれらに照明を当てると道路標識等が識別出来、更に背景用反射シート上に照明された光を蓄積して蓄光とする蓄光材含有樹脂体を配置固定することにより、照明が当てられなくなっても蓄光により道路標識等が識別出来るような表示装置が提案されている。  図３は、従来の表示装置を説明するための断面図である。
以下従来例について、図３に基づいて詳細に説明する。
【０００３】
図３において、従来の表示装置１０１は、アルミ製の面状の基材１０２と、その基材１０２の全面にわたって貼付される白色の背景用反射シート１０３と、背景用反射シート１０３面上に一部が露呈するように貼付される所定色の表示用反射シート１０４と、背景用反射シート１０３面上に表示用反射シート１０４が貼られずに露呈する部分上の全面にわたって配置固定される蓄光材含有樹脂体１０５とから構成される。
【０００４】
背景用反射シート１０３、表示用反射シート１０４としては汎用される再帰反射機能を持つものが用いられ、例えば、ガラスビーズなどの微小球レンズと金属膜光反射層からなるレンズ型再帰反射要素、相対する面が互いに略９０度の角度で向かい合うように配置されているキューブコーナー型再帰反射要素などが用いられる。
【０００５】
次に、表示装置１０１の使用状態を説明する。昼間においては外光が当たることで表示装置１０１は白色の背景用反射シート１０３よりなる背景上に表示用反射シート１０４よりなる所定色の表示模様の標識を呈する。その際、背景用反射シート１０３上には多数の蓄光材含有樹脂体１０５がドット状に存在するが、それらは透明性を有するので光を透過させ、さらに、それらがドット状に多数の不連続形態として配置されていることで背景用反射シート１０３からの反射光は前方を中心にして四方に拡散される。
【０００６】
夜間において、表示装置１０１が近傍の車両、照明具等の照明光により照らされる場合は、上記の昼間とほぼ同様にして白色の背景用反射シート１０３よりなる背景上に表示用反射シート１０４よりなる所定色の標識を呈する。これに対し、夜間停電時など暗い所では背景用反射シート１０３、表示用反射シート１０４の反射光はともに無くなるが、ドット状に配置固定された蓄光材含有樹脂体１０５部分から放射される蓄光により背景用反射シート１０３のエリアは全体が発光する状態となり、表示用反射シート１０４が照明されて標識が相対的に所定色あるいは黒抜き模様として表示される。
【特許文献１】特開２００８−１６５２０３号公報
【発明の開示】
【発明が解決しようとする課題】
【０００７】
しかしながら、上述した特許文献１の提案のように、背景用反射シートの反射性を有する反射面にドット状に配置固定された蓄光材含有樹脂体は、光が当たっているときは反射光を散乱させて表示用反射シートの標識周辺を不鮮明なものとし、光が当たっていないときは蓄光を放射して表示用反射シートを照明するが背景用反射シート上にドット状に配置固定されているため蓄光材含有樹脂体の占める割合は背景用反射シートの面積に比較し半分以下となり蓄積される蓄光量は少ないので表示用反射シートの標識を十分に照明するにはいたらず、このため光の照射のない夜間等において標識は暗く視認が容易でない、などの問題点がある。
【０００８】
本発明は、上記の事情に鑑みて行ったものであり、昼間においては光の当たる通常の表示装置として標識周辺は鮮明に認識され、また、夜間の光源がある場合においても昼間と同様に光の当たる通常の表示装置として鮮明に認識され、さらに、照明のない夜間暗所や停電時などにおいても蓄積される蓄光量が多く得られるので標識の視認が容易になされて案内機能が確実に発揮される表示装置を提供することを目的とする。
【課題を解決するための手段】
【０００９】
本発明は、太陽、自動車の照明ランプ等の光源から放射された入射光を蓄積する蓄光部２と、記号や文字等の標識を表示する標識部３と、入射光を反射し反射光として蓄光部２へ入射させる反射部４と、から構成され、入射光と反射光とを同時に蓄光部２に入射し蓄光として蓄光部２に蓄積し、入射光が停止されると蓄光部２に蓄積された蓄光を放射して標識部３の記号や文字等の標識を表示する表示装置１を提供するものである。
【発明の効果】
【００１０】
この発明によれば、車両の運転者などは昼間や夜間の車両照明時等においては違和感を覚えることなく通常の表示装置として標識を認識し、照明のない夜間や停電時などの暗所においても容易に標識を視認できる、表示装置を提供することが出来る。
【発明を実施するための最良の形態】
【００１１】
本発明を実施するための最良の形態について、以下図１、図２に基づいて詳細に説明するが、本発明はかかる実施形態に限定されるものではない。
【００１２】
図１は、本発明の表示装置１を示す図であり、（１）は側面図、（２）は正面図を示す。      
図２は、図１（２）のＡ−Ａ断面を示す図であり、（１）は入射光による動作を説明するための図であり、（２）は入射光が消滅した場合の動作を説明するための図である。
【００１３】
図１（１）、図１（２）に示されるように本発明の実施形態においては、光源から放射される光を受光して蓄光し、光源から放射される光が消滅すると蓄光された光を放出して標識を表示する表示装置１は、太陽、自動車の照明ランプ等の光源から放射された入射光を蓄積する蓄光部２と、記号や文字等の標識を表示する標識部３と、入射光を反射し反射光として蓄光部２へ入射させる反射部４と、反射部４に固定され蓄光部２と標識部３とを保持する保持５と、から構成されるものである。
【実施例】
【００１４】
次に詳細に実施例を図１、図２を用いて説明すると、
表示部１においては、蓄光部２はプラスチックやガラスからなる透明部材２１に光を照射すると蓄光として蓄積し光の照射が消滅すると蓄積した蓄光を放射する半透明で乳白色の塗料或いはシール等からなる蓄光材２２を塗布或いは貼付してなり、標識部３はプラスチックやガラスからなるコの字状の透明部材３１の表面に記号や文字等の標識を表示する光を透過しない所定色の塗料或いはシール等の標識材３２を塗布或いは貼付してなり、反射部４は金属、プラスチック、木材等からなる半円筒部材４１にアルミ箔、アルミ蒸着材、白色塗料等の反射材４２を内側に付加してなり、保持部５は半円板の金属、プラスチック、木材等からなり、反射部４の両側に保持部５を接着剤或いは螺子類で固定し、保持部５の両方の中央部分に蓄光部２を接着剤或いは螺子類で固定し、標識部３を蓄光部２に嵌め込むことにより構成されるものである。
尚、標識部３は、着脱可能に設定され、標識内容に応じて交換するものとする。
また、半円筒部材４１は他の形状、例えば半楕円形状或いは中央が平面で周辺が傾斜形状とし保持部５の形状をこれらの端部を覆う形状としても、同等の効果が得られることはもちろんである。
【００１５】
次に動作を説明する。
（１）入射光が照射される場合、
図２（１）に示されるように、例えば、太陽、自動車の照明ランプ等の光源から放射された入射光Ｐ０〜Ｐ３が表示装置１に照射されると、
入射光Ｐ０は、反射部４の反射材４２で反射され反射光となって、蓄光部２の透明部材２１を通過して蓄光材２２に蓄光として蓄積される。
【００１６】
入射光Ｐ１は、標識材３２に照射されるが標識材３２は不透明なため蓄光部２には到達せず、標識材３２で反射或いは吸収されて所定色の標識を表示する。
【００１７】
入射光Ｐ２は、標識部２の透明部材２１の中央を通過して蓄光材２２に照射され蓄光として蓄積される。入射光Ｐ２の一部は蓄光材２２を透過し透明部材２１を通過して反射材４２に到達するが、反射材４２で反射され反射光となって透明部材２１を通過して蓄光材２２に蓄光として加算され蓄積される。
【００１８】
入射光Ｐ３は、標識部２の透明部材２１の端を通過して蓄光材２２に照射され蓄光として蓄積される。入射光Ｐ３の一部は蓄光材２２を透過し透明部材２１を通過して反射材４２に到達するが、反射材４２で反射され反射光となって透明部材２１を通過して蓄光材２２に蓄光として加算されて蓄積される。
【００１９】
反射材４２は、それぞれの入射光を図の点線で示すように複数方向に反射させて反射光とするので蓄光材２２全体にわたって反射光は照射され蓄光として加算されて蓄積される。
従って、標識材３２で遮られ入射光Ｐ１が届かない蓄光材２２の位置にも蓄光は蓄積される。また、太陽、自動車の照明ランプ等の光源から放射される入射光は、説明のための入射光Ｐ０〜Ｐ３のように部分的に限定されるものではなく、表示装置１全体に連続して放射されることは自明である。
【００２０】
このようにして太陽、自動車の照明ランプ等の光源から放射された入射光が表示装置１に照射されると、蓄光部２の蓄光材２２全体に入射光と反射光が合算されて蓄光として高効率に蓄積されるとともに蓄光材２２は標識部３の標識材３２部分を除いて入射光の一部を直接反射して乳白色で表示され、標識部３の標識材３２は入射光を直接反射或いは吸収して標識材３２の所定色となるから、表示装置１おいては蓄光材２２の乳白色と標識材３２の所定色が明確に区別されるので標識を鮮明に識別して表示することが出来る。
【００２１】
（２）入射光が消滅した場合、
図２（２）に示されるように、入射光が消滅すると、例えば、蓄光部２の蓄光材２２に蓄積された蓄光のうち標識部３方向に蓄光Ｒ２、蓄光Ｒ３、反射部４方向に蓄光Ｂ１〜蓄光Ｂ３が放射される。蓄光Ｂ１〜蓄光Ｂ３は透明部材２１を通過して反射材４２で反射され反射光となって再び透明部材２１を通過し蓄光材２２を透過して蓄光Ｒ２、蓄光Ｒ３に加算されて標識部３方向に放射される。尚、放射された蓄光は再度蓄光材２２には蓄積されないので（波長選択性）、蓄光の反射光は蓄光材２２を透過する。
【００２２】
標識部３の標識材３２は不透明なため蓄光部２から標識材３２へ蓄光が照射されても標識材３２は通過しない。このため、標識部３の標識材３２の範囲は暗部（黒色相当）、標識材３２以外の範囲は明部（蓄光照射）として表示される。
【００２３】
また、標識材３２の蓄光部２側を裏面として不透明なアルミ箔やアルミ蒸着或いは白色塗料の反射材で形成し、この裏面上に表示する所定色の塗料を塗布して標識材３２の表面とすれば、蓄光部２から放射される蓄光は標識材３２の裏面で反射された後蓄光部２を透過して反射部４に到達し反射材４２で反射され反射光として再度蓄光部２へ到達したのち透過して蓄光Ｒ２、蓄光Ｒ３にさらに加算される。特に標識材３２の占める割合が多い場合、標識材３２の裏面を反射材で形成すれば標識材３２以外の範囲の蓄光量をも増加することが出来る。
【００２４】
このようにして入射光が消滅すると、蓄光部２の蓄光材２２に蓄積された蓄光が標識部３の標識材３２以外の範囲の方向に直接放射されると共に蓄光の反射光も加算されることにより標識材３２以外の範囲の光量が増加されて標識部３から放射されるから、蓄光の通過しない標識部３の標識材３２をより鮮明に表示することが出来る。尚、蓄光は説明のために用いられた蓄光Ｒ２、蓄光Ｒ３、蓄光Ｂ１〜蓄光Ｂ３のように部分的に限定されるものではなく、蓄光材２２全体から連続して放射されることは自明である。
【００２５】
以上述べてきたように、本発明の実施形態によれば、表示装置１に入射光が照射されると蓄光材２２の乳白色と標識材３２の所定色は明確に区別されるとともに蓄光材２２に蓄光が直接光と反射光が加算されて高効率に蓄積され、入射光が消滅すると高効率に蓄積された蓄光が標識部３方向に直接放射されると共に蓄光の反射光も加算されるので標識部３の標識材３２の範囲と標識材３２以外の範囲とは明度差が大きくなり明確に識別される。
特に夜間においては、自動車等の照明による入射光が消滅した直後には高効率で蓄積された蓄光が大量に放射されるので、遠方からも標識材３２を容易に識別することが出来る。
【産業上の利用可能性】
【００２６】
本発明は、標識部２を外せば、夜間や停電時等においては省エネルギーの照明装置として機能させ、また、災害時に広域に停電が発生した場合においては、携帯性を付加することにより避難行動の際の避難誘導の目安として有効に機能させることが出来る。
【図面の簡単な説明】
【００２７】
【図１】本発明の表示装置１を示す図であり、（１）は側面図、（２）は正面図を示す。
【図２】図１（２）のＡ−Ａ断面を示す図で有り（１）は入射光による動作を説明するための図であり、（２）は入射光が消滅した場合の動作を説明するための図である。
【図３】従来例の表示装置を説明するための断面図である。
【符号の説明】
【００２８】
１  表示装置
２  蓄光部
３  標識部
４  反射部
５  保持部
２１  透明部材
２２  蓄光材
３１  透明部材
３２  標識材
【図１】
2010117568.tif 000003
【図２】
2010117568.tif 000004
【図３】
2010117568.tif 000005